(57)【要約】【課題】従来に比べて衛生的に優れた和式仕様のトイレ用床タンクを提供する。【解決手段】簡易水洗式の仮設トイレ１０１における水洗用水を収容する床タンク１１０であって、当該床タンクの後壁１２０Ｂは、中央部分１６１が後方側１１７へ突出した形状を有し、後壁における左右部分の左右後壁１２２のそれぞれは、前方側１１６へ凹んだ凹部１２５を有する。【選択図】図２Ｂ
2018131780.tif 000002
【特許請求の範囲】
【請求項１】
簡易水洗式のトイレ（１０１）における便槽のフロアパネル（２）に設置可能であり、前後、左右、上下の各壁を有して水洗用水を収容する床タンク（１１０）であって、
当該床タンクの中央部分に位置し上下方向（４３）において当該床タンクを貫通し当該床タンクの上壁（１４０Ａ）に和式便器（２０）を設置可能である開口部（１５０）であって、上記上壁と当該床タンクの下壁（１４０Ｂ）とを接続した開口部用側壁（１５１）を有する開口部（１５０）を有し、
当該床タンクの後壁（１２０Ｂ）は、左右方向（４２）において中央に位置する中央部分（１６１）と、この中央部分の左右側にそれぞれ位置する左右部分（１６２）とを有し、上記中央部分は、前後方向（４１）において当該床タンクの内側から外側へ向かう後方側（１１７）へ上記左右部分に対して突出した形状を有し、
上記左右部分のそれぞれは、左右後壁（１２２）を有し、上記中央部分は、中央後壁（１２１）を有し、各左右後壁及び中央後壁が一体で上記後壁を構成しており、
上記左右後壁のそれぞれは、上記前後方向において当該床タンクの外側から内側へ向かう前方側（１１６）へ凹んだ凹部（１２５）を有する、
ことを特徴とする床タンク。
【請求項２】
前後方向において上記開口部用側壁と上記中央後壁との間に、上記開口部用側壁、上記中央後壁、及び上記上壁で囲まれた狭小空間（１２７）を有し、この狭小空間は、左右方向における中心にて、前後方向において最も狭い、請求項１に記載の床タンク。
【請求項３】
上記凹部は、当該床タンクの上壁から下壁へ向けて上記前方側へ傾斜した傾斜面を有する、請求項１又は２に記載の床タンク。
【請求項４】
上記中央後壁も上記傾斜面を有する、請求項３に記載の床タンク。
【請求項５】
当該床タンクは、ブロー成型したタンクであり、上記後壁及び上記下壁と、上記開口部用側壁及び上記上壁とを有する狭小空間（１２７）は、上記下壁と上記開口部用側壁の下端とを接合した下パーティングライン（１８０Ｂ）と、上記後壁の上端と上記上壁とを接合した上パーティングライン（１８０Ａ）とを有する、請求項１から４のいずれかに記載の床タンク。
【請求項６】
上記下壁は、上記フロアパネルに係合して当該床タンクをフロアパネルに固定する係合部（１４５）を有する、請求項１から５のいずれかに記載の床タンク。
【発明の詳細な説明】
【技術分野】
【０００１】
本発明は、例えば仮設トイレ用の床タンクに関する。
【背景技術】
【０００２】
例えば建築工事現場、屋外のイベント会場、災害発生時の避難所、等へ搬送され設置可能である、図６に示すような簡易水洗式で和式の仮設トイレ１が存在する。このような仮設トイレ１は、一般的に、便槽（不図示）と、便槽上に配置されるフロアパネル２と、フロアパネル２上に設置され水洗用水を収容した床タンク１０と、床タンク１０に設置された和式便器２０と、フロアパネル２及び床タンク１０の周囲を取り囲むドア（不図示）付きの壁面３０及び天井（不図示）と、等を備える。また、フロアパネル２よりも一段上がった床タンク１０の踏台１１には、足踏式のポンプ１５が設けられている。
このような簡易水洗式の仮設トイレ１では、用を足した後、ポンプ１５を踏むことで床タンク１０内の水が便器２０に流れ、汚物と共に便槽内へ流下し、水洗が行われる。
【先行技術文献】
【特許文献】
【０００３】
【特許文献１】特開２００５−２３２６７４号公報
【発明の概要】
【発明が解決しようとする課題】
【０００４】
また仮設トイレ１では、男性の小便時を考慮して、前後方向４１において出入口側（ドア側）３に近い便器２０の後端２１は、床タンク１０よりも出入口側３へ突出して配置される。よって、床タンク１０の出入口側３に近い後壁１２においても同様に、左右方向４２において後壁１２の中央部分１２ａは、後壁１２の左右部分１２ｂよりも出入口側３へ円弧状に突出した形態になっている。
【０００５】
一方、後壁１２における左右部分１２ｂは、フロアパネル２に対して上下方向４３に沿って垂直に立設している。中央部分１２ａは、左右部分１２ｂと同様に垂直に、あるいは図７に示すように出入口側３へ向かって下り傾斜面となっている。
【０００６】
このような仮設トイレ１において、男性は、小便時には、後壁１２の突出した中央部分１２ａを両足間に位置させるような姿勢で便器２０の後端２１側から排尿を行うが、このとき、つま先が後壁１２の左右部分１２ｂに当たり、便器２０に、より近づくことが難しい。よって、後端２１辺りに尿がかかることが多い。
さらにまた、仮設トイレ１の床タンク１０及び便器２０は、樹脂成型にて製造されるが、製造上の制約に起因して、図７に示すように、便器２０の後端２１における上面２２の前後方向４１における幅寸法Ｗが比較的大きくなってしまう。このことは、尿の付着面積をより大きくしている。
これらのことから、特に便器２０の後端２１辺りにおけるフロアパネル２及び上面２２が汚れ易く、不衛生になり、かつ臭気を発生させるという問題があった。
【０００７】
本発明はこのような問題点を解決するためになされたもので、従来に比べて衛生的に優れた和式仕様のトイレ用床タンクを提供することを目的とする。
【課題を解決するための手段】
【０００８】
上記目的を達成するため、本発明は以下のように構成する。
即ち、本発明の第１態様における床タンクは、簡易水洗式のトイレにおける便槽のフロアパネルに設置可能であり、前後、左右、上下の各壁を有して水洗用水を収容する床タンクであって、
当該床タンクの中央部分に位置し上下方向において当該床タンクを貫通し当該床タンクの上壁に和式便器を設置可能である開口部であって、上記上壁と当該床タンクの下壁とを接続した開口部用側壁を有する開口部を有し、
当該床タンクの後壁は、左右方向において中央に位置する中央部分と、この中央部分の左右側にそれぞれ位置する左右部分とを有し、上記中央部分は、前後方向において当該床タンクの内側から外側へ向かう後方側へ上記左右部分に対して突出した形状を有し、
上記左右部分のそれぞれは、左右後壁を有し、上記中央部分は、中央後壁を有し、各左右後壁及び中央後壁が一体で上記後壁を構成しており、
上記左右後壁のそれぞれは、上記前後方向において当該床タンクの外側から内側へ向かう前方側へ凹んだ凹部を有する、ことを特徴とする。
【発明の効果】
【０００９】
本発明の第１態様における床タンクによれば、床タンクの後壁における左右後壁は、前方側へ凹んだ凹部を有することから、男性は、小便時に、便器に、より近づくことができる。したがって、従来に比べて衛生的に優れ、また臭気の発生も少なくなるという効果が得られる。
【図面の簡単な説明】
【００１０】
【図１】本発明の実施形態における床タンクを備えた簡易トイレを示す図である。
【図２Ａ】本発明の実施形態における床タンクの概略を示す平面図である。
【図２Ｂ】図２Ａに示す床タンクの側面図である。
【図２Ｃ】図２Ａに示す床タンクの底面図である。
【図３】図２Ａに示す床タンクの斜視図である。
【図４】図２Ａに示す床タンクの一部を断面にて示した側面図である。
【図５】図４に示す床タンクの中央にパーティングラインを配置した形態を説明するための図である。
【図６】従来の和式仕様の仮設トイレ用床タンクを示す斜視図である。
【図７】図６に示す便器後端部分における一部断面を有する側面図である。
【発明を実施するための形態】
【００１１】
本発明の実施形態であるトイレ用床タンクについて、図を参照しながら以下に説明する。尚、各図において、同一又は同様の構成部分については同じ符号を付している。また、以下の説明が不必要に冗長になるのを避け当業者の理解を容易にするため、既によく知られた事項の詳細説明及び実質的に同一の構成に対する重複説明を省略する場合がある。また、以下の説明及び添付図面の内容は、特許請求の範囲に記載の主題を限定することを意図するものではない。
【００１２】
また、以下の実施形態では、仮設で簡易水洗式のトイレ用の床タンクを例に採るが、トイレの形態は仮設等に限定するものではなく、常設タイプにも適用可能である。
【００１３】
また以下の実施形態では、床タンクはブロー成型での製造を例に採るが、その製造方法を問うものではない。
【００１４】
図１に示すように、本実施形態における床タンク１１０は、基本的に従来と同タイプの簡易水洗式の仮設トイレ１０１に設置される。即ち、簡易水洗式の仮設トイレ１０１は、便槽５と、便槽５上に配置されるフロアパネル２と、フロアパネル２上に設置され水洗用水を収容した床タンク１１０と、床タンク１１０に設置された和式便器２０と、フロアパネル２及び床タンク１１０の周囲を取り囲むドア（不図示）付きの壁面３０及び天井３５とを備える。また、フロアパネル２よりも一段上がった床タンク１１０の踏台（下記の上壁１４０Ａに対応）には、足踏式のポンプ１５が設けられている。
このような簡易水洗式の仮設トイレ１０１では、ポンプ１５を踏むことで床タンク１１０内の水が便器２０に流れ、汚物と共に便槽５内へ流下し、水洗が行われる。
【００１５】
一方、床タンク１１０は、従来とは異なり、以下に説明する特徴を有する。
図２Ａ〜図２Ｃ及び図３に示すように、床タンク１１０は、前壁１２０Ａ、後壁１２０Ｂ、左壁１３０Ａ、右壁１３０Ｂ、上壁（踏台）１４０Ａ、及び下壁１４０Ｂを有する大略直方体形状であり、上下方向４３において床タンク１１０を貫通する開口部１５０を有する。また、前壁１２０Ａには、洗浄水用の接続部１１８が同時に一体成型されており、上壁１４０Ａには、足踏式のポンプ１５を取り付けるための凹部１１９も一体成型されている。また上壁１４０Ａは、別途樹脂成型された和式便器２０を取り付けるための開口で、開口部１５０の上壁１４０Ａにおける輪郭に相当する便器取付用開口１４２を有する。和式便器２０は、この便器取付用開口１４２にセットされる。
【００１６】
このような床タンク１１０は、分離可能な２つの金型を用いて、図２Ｂに示すように上ブロック１１０Ａと下ブロック１１０Ｂとがブロー成型にて一体成型される。ここで上ブロック１１０Ａは、主に上壁１４０Ａと、開口部１５０を形成する開口部用側壁１５１（以下、単に「側壁１５１」と記す。）とを含む。また下ブロック１１０Ｂは、主に前壁１２０Ａ、後壁１２０Ｂ、左壁１３０Ａ、右壁１３０Ｂ、及び下壁１４０Ｂを含む。
【００１７】
成型された床タンク１１０は、図１に示すように、フロアパネル２に下壁１４０Ｂを載置して、詳細後述する係合手段（係合部及び係止部）にてフロアパネル２上に取り付け固定される。尚、開口部１５０に対応してフロアパネル２にも穴があけられており、開口部１５０は下方の便槽５と連通する。
【００１８】
また、図２Ａ及び図３に示すように、上壁１４０Ａ、下壁１４０Ｂ、及び後壁１２０Ｂは、左右方向４２において中央に位置する中央部分１６１と、中央部分１６１の左右側にそれぞれ位置する左右部分１６２とを有する。ここで各壁の中央部分１６１は、左右部分１６２に対して、前後方向４１において床タンク１１０の後方側１１７へ突出した形状を有する。中央部分１６１の突出形状は、本実施形態では図示のように平面視で略三角形状にしている。これは、男性の小便時を考慮したもので、できるだけ前方側１１６へ進むことができ、かつ、便器２０の後端２１における上面２２の前後方向４１における幅寸法Ｗ（図７）を従来よりも小さくするためである。
ここで後方側１１７とは、前後方向４１において床タンク１１０の内側から外側へ向かい当該トイレの出入口側（便器２０の後端２１側）に相当する。また前方側１１６とは、前後方向４１において床タンク１１０の外側から内側へ向かい後方側１１７とは反対側に相当する。
尚、中央部分１６１と左右部分１６２との境界は、上壁１４０Ａを基準として、左右方向４２に沿った上壁１４０Ａの輪郭が後方側１１７へ方向を変える変曲部である。
【００１９】
ここで後壁１２０Ｂは、特に図３等に示すように、中央部分１６１に対応した中央後壁１２１と、２つの左右部分１６２に対応した２つの左右後壁１２２とを有し、中央後壁１２１及び各左右後壁１２２が一体で後壁１２０Ｂを構成している。また、後壁１２０Ｂにおける各左右後壁１２２は、フロアパネル２に対して垂直でかつ左右方向４２に平行に延在する垂直面１１５（図２Ｂ）を想定したとき、この垂直面１１５よりも、前後方向４１において前方側１１６へ凹んだ凹部１２５を有する。本実施形態では、図２Ｂ、図２Ｃ及び図３に示すように、凹部１２５は、上壁１４０Ａから下壁１４０Ｂに向けて前方側１１６へ傾斜した斜面で構成している。
しかしながら、凹部１２５の形態は、傾斜面に限定するものではなく、上壁１４０Ａの上方から見て上壁１４０Ａの投影面よりも前方側１１６へつま先が進入可能となる形態であればよい。
【００２０】
また凹部１２５は、少なくとも左右後壁１２２に設けられていればよい。本実施形態では、図２Ｃに示すように、左右後壁１２２のみならず中央後壁１２１においても傾斜面として凹部１２５を設けている。
【００２１】
さらにまた本実施形態では、左右後壁１２２及び中央後壁１２１に形成した傾斜面は、左右方向４２において後壁１２０Ｂの両端部分にて最も傾斜が緩やか（傾斜面の外面とフロアパネル２との内角が鋭角側。傾斜面の内面と下壁１４０Ｂとなす角度にあっては逆に鈍角側。）であり、床タンク１１０の中心線１１４に向けて徐々に傾斜が急になり中心線１１４位置にて垂直になる。
【００２２】
このような床タンク１１０を備えた仮設トイレ１０１においても、男性は、小便時には、中央部分１６１を両足間に位置させるような姿勢で便器２０の後端２１側から排尿を行う。一方、本実施形態の床タンク１１０では、少なくとも左右後壁１２２に凹部１２５を設けたことから、男性は、従来に比べてつま先を前方側１１６へ、いわゆる「一歩前へ」進めることができる。したがって、便器２０の後端２１辺りに尿がかかることは、従来に比べて少なくなり、衛生上及び臭気上の改善を図ることができる。
【００２３】
また、上壁１４０Ａの中央部分１６１において、図２Ａに示すように上壁１４０Ａの輪郭１４３と、上壁１４０Ａにおける便器取付用開口１４２とで挟まれた範囲を領域１４４とした場合、この領域１４４の、前後方向４１における幅寸法Ｗ１は、左右方向４２における中央部分１６１の両端から中心線１１４に向かい徐々に小さくなり、中心線１１４上にて最小になる。便器取付用開口１４２は、幅寸法Ｗ１がこのように変位するように設計している。
さらにまた、上述のように中央部分１６１の突出形状を略三角形状にしたことで、幅寸法Ｗ１を従来よりも小さくすることができる。
このように、床タンク１１０の中央部分１６１における幅寸法Ｗ１を狭小化したことに伴い、上壁１４０Ａに載置される便器２０の後端２１における上述の幅寸法Ｗ（図７）も従来に比べ小さくすることができ、究極的には後端２１を山形断面として平坦部の幅寸法Ｗをゼロにすることも可能である。したがって、この点からも、尿の付着面積を小さくし、衛生上及び臭気上の改善を図ることができる。
【００２４】
少なくとも左右後壁１２２に凹部１２５を有する床タンク１１０の成型方法は、本実施形態のようにブロー成型に限定するものではなく、いずれの製造方法であってもよい。
【００２５】
説明したように、後壁１２０Ｂの左右後壁１２２に凹部１２５を有することで上述の効果を得ることができるが、上述のように幅寸法Ｗ１を従来に比べて小さくした場合、本実施形態のように床タンク１１０をブロー成型にて一体成型する場合には、以下の問題が生じる。
【００２６】
まずブロー成型では一般的に、成型後、金型から成型体の型抜きを可能にするために、金型同士の接合部分よりも大きい成型体が金型内で成型されてはならない。よって傾斜面を有する成型体を成型するときには、型抜きが可能になるように、金型同士の接合面に相当するパーティングライン（ＰＬ）を成型体（特に傾斜面）のどの位置に配置するかがポイントになる。
本実施形態の床タンク１１０では、図４に示すように、開口部１５０を形成する側壁１５１は傾斜しており、また、左右後壁１２２も傾斜している。このような傾斜面を有する床タンク１１０について、ブロー成型用金型からの型抜きを可能にするため、図２Ｂ及び図４に示すように、上壁１４０Ａに沿って上壁１４０Ａの周囲に延在する上パーティングライン１８０Ａと、開口部１５０の下端に沿って開口部１５０の周囲に延在する下パーティングライン１８０Ｂとを配置している。尚、上パーティングライン１８０Ａと下パーティングライン１８０Ｂとを総称してパーティングライン１８０と記す。
【００２７】
さらにブロー成型では、各金型への成型用樹脂材の進入具合を均等にするため、パーティングラインは、通常、成型体を真ん中から半分ずつに分かれるように成型体の中央に配置する。よって本実施形態の床タンク１１０のように、中央から外れてパーティングライン１８０を配置したときには、一般的には成型上不具合を発生し易い。
【００２８】
さらに本実施形態の床タンク１１０の場合、上述のように幅寸法Ｗ１を小さくするため、後壁１２０Ｂにおける特に中央後壁１２１部分では、開口部１５０との位置関係によって、中央後壁１２１と開口部１５０の側壁１５１とが接近した狭小空間１２７（図４）が生じてしまう。このような狭小空間１２７を成型するにあたり、図５に示すような従来の、成型体を半分ずつに分割する通常のパーティングラインの配置を取った場合には、成型後の型抜きができないばかりか、狭小空間１２７の上部１２８ａ及び下部１２８ｂのそれぞれが３つの壁面を有する凹部で構成されてしまう。よって、上部１２８ａ及び下部１２８ｂのそれぞれについて、成型用樹脂材の進入が非常に困難になる。その結果、一般的には、成型体に破れ、あるいは強度不足が生じてしまうという可能性が非常に高くなる。
【００２９】
そこで本実施形態では、傾斜面の型抜きを可能にして、かつ狭小空間１２７において上述の不具合を回避するため、以下の工夫を施している。
まずイメージ的に説明すると、上述の狭小空間１２７の断面を直角三角形に見立てた場合、直角を形成する「２辺部分」と、「斜辺部分」とに直角三角形を分割する。そして、２辺部分で形成された空間に対して斜辺部分で蓋をするように、直角三角形の上端と下端とで両者を接合する。
図４を参照して具体的に説明すると、上述したように床タンク１１０は、上ブロック１１０Ａと下ブロック１１０Ｂとが各金型を用いてブロー成型される。このとき、上ブロック１１０Ａと下ブロック１１０Ｂとの接合部分がパーティングライン１８０になる。ここで、狭小空間１２７を形成する一方の側壁（上述の「斜辺部分」に相当）は、上ブロック１１０Ａにおいて開口部１５０を形成する側壁１５１が相当する。また、狭小空間１２７を形成する他方の側壁（上述の「２辺部分」に相当）は、下ブロック１１０Ｂにおける中央後壁１２１及び下壁１４０Ｂが相当する。よって、成型後の狭小空間１２７において、上下方向４３において、狭小空間１２７の上端部分１２７ａは、上述の上パーティングライン１８０Ａに含まれ、狭小空間１２７の下端部分１２７ｂは、下パーティングライン１８０Ｂに含まれることになる。
【００３０】
狭小空間１２７について、上述のようにパーティングライン１８０を配置することで、上述の上部１２８ａ及び下部１２８ｂのような３つの壁面を有する凹部は、成形時には、つまり金型には存在しない。即ち、成型中において、狭小空間１２７を形成する、上述の一方の側壁（上記「斜辺部分」）の成型は、上ブロック１１０Ａにおける開口部１５０の側壁１５１を成型することに相当することから、何ら問題なく行われる。さらに、成型中において、狭小空間１２７を形成する他方の側壁（上記「２辺部分」）の成型は、下ブロック１１０Ｂにおける中央後壁１２１及び下壁１４０Ｂで行われるが、上述のように中央後壁１２１は下壁１４０Ｂに対して鈍角側に傾斜した傾斜面であることから、中央後壁１２１と下壁１４０Ｂとがなす角度は９０度以上である。よって、中央後壁１２１及び下壁１４０Ｂは、凹状の狭い閉空間を形成していない。したがって、狭小空間１２７を形成する他方の側壁も、何ら問題なく成型される。そして、両側壁が上パーティングライン１８０Ａ及び下パーティングライン１８０Ｂを介して接合され、狭小空間１２７が成型される。このように、本実施形態の床タンク１１０におけるパーティングライン１８０によれば、成型用樹脂材の進入に支障は生じず、樹脂厚は十分に確保され、強度不足が生じることもない。
【００３１】
次に、本実施形態の床タンク１１０におけるさらなる工夫点について説明する。
当該床タンク１１０は、フロアパネル２に取り付けられるが、その際、仮設トイレ１０１を構成している前後左右、４つのパネルで仕切られた空間内において、設置あるいは取り外しが必要な場合もある。
そこで仮設トイレ１０１の限られた空間内での床タンク１１０の姿勢変更等が可能となるように、図２Ｂに示すように、下壁１４０Ｂの周縁部において、前壁１２０Ａ、左壁１３０Ａ、右壁１３０Ｂに、面取り部１７０を設けている。
面取り部１７０を設けたことで、仮設トイレ１０１の限られた空間内でも床タンク１１０の姿勢変更等ができ、床タンク１１０の設置あるいは取り外しが可能となる。
【００３２】
さらに他の工夫点について説明する。
従来の床タンク１０のフロアパネル２への固定は、床タンク１０の後壁１２と一体成型したフランジに対してボルトを挿通しナットで締結する方法を採っていた。
本実施形態の床タンク１１０においては、後壁１２０Ｂに凹部１２５を設けたことから、従来のようなフランジを、後壁１２０Ｂに一体成型することができず、従来の固定方法を採ることができない。
【００３３】
そこで本実施形態の床タンク１１０では、図２Ｃに示すように、下壁１４０Ｂに、左右方向４２における２箇所に係合部１４５を設けた。この係合部１４５と、フロアパネル２に設けた対応の係止部との係合によって、フロアパネル２に床タンク１１０を固定する。
係合部１４５として、本実施形態では、凹形状内に例えば蟻溝を有した構成である。一方のフロアパネル２における係止部は、上記蟻溝に係合する凸部を有する。
このように床タンク１１０に係合部１４５を設けることで、後壁１２０Ｂに凹部１２５を設けた床タンク１１０においても、フロアパネル２への固定を容易に行うことができる。
【００３４】
上述した本実施形態の床タンク１１０における各構成の一部のみを採用して床タンクを構成することも可能である。
【産業上の利用可能性】
【００３５】
本発明は、簡易トイレ用の床タンクに適用可能である。
【符号の説明】
【００３６】
２…フロアパネル、２０…和式便器、４１…前後方向、４２…左右方向、
４３…上下方向、
１０１…仮設トイレ、１１０…床タンク、１２０Ｂ…後壁、
１２１…中央後壁、１２２…左右後壁、１２５…凹部、１２７…狭小空間、
１４０Ａ…上壁、１４０Ｂ…下壁、１４５…係合部、１５０…開口部、１５１…側壁、
１６１…中央部分、１６２…左右部分。
【図１】
2018131780.tif 000003
【図２Ａ】
2018131780.tif 000004
【図２Ｂ】
2018131780.tif 000005
【図２Ｃ】
2018131780.tif 000006
【図３】
2018131780.tif 000007
【図４】
2018131780.tif 000008
【図５】
2018131780.tif 000009
【図６】
2018131780.tif 000010
【図７】
2018131780.tif 000011